(57)【要約】【課題】回転体の回転速度が変わっても、改めて設定変更することなく回転体の回転異常を判定する。【解決手段】製氷機は、モータＭに連結した回転軸１４ａの軸回りに回転する製氷ドラム１４の回転異常を検知する回転異常検知装置３０を備える。回転異常検知装置３０は、周方向に隣り合う離間間隔を異なるように配置した少なくとも３以上の孔部３４を設けたプレート３２と、孔部３４の有無を検知するフォトセンサ４０とを有する。製氷ドラム１４の回転に際して、周方向に隣り合う孔部３４,３４のなす離間間隔の相違により生じるフォトセンサ４０による孔部３４の検知タイミングの大小パターンに基づいて、判定手段で製氷ドラム１４の回転方向を判定する。【選択図】図２
2006313047.tif 000002
【特許請求の範囲】
【請求項１】
駆動手段(M)で回転される回転体(14)の回転異常を検知する回転異常検知装置において、
前記回転体(14)の回転中心から同一半径の回転軌跡上に周方向に離間して配置され、回転体(14)に伴って回転する少なくとも３以上の被検知部(34,74)と、
前記回転体(14)と共に回転する各被検知部(34,74)が順次相対する位置に配設され、該被検知部(34,74)の有無を検知する検知手段(40,76)と、
前記検知手段(40,76)による被検知部(34,74)の検知態様に基づいて、該回転体(14)の回転異常を判断する判定手段(42)とから構成した
ことを特徴とする回転異常検知装置。
【請求項２】
前記３以上の被検知部(34)は、周方向に隣り合う離間間隔(W,W)が異なるように配置されている請求項１記載の回転異常検知装置。
【請求項３】
前記検知手段(40)が前記被検知部(34)を検知してから次に被検知部(34)を検知するまでまたは検知状態の検知手段(40)が非検知状態に移行してから次に被検知部(34)を検知するまでの検知時間を計時する計時手段(44)と、この計時手段(44)で計測した検知時間を順次記憶する記憶手段(46)とを備え、前記計時手段(44)による最新の検知時間および前記記憶手段(46)に記憶した少なくとも前２回分の検知時間が順になす実際の大小パターンから前記回転体(14)の回転方向を判定するようにした請求項２記載の回転異常検知装置。
【請求項４】
前記計時手段(44)で計測した検知時間が、予め設定した最小検知時間以下となった回数を計数するカウント手段(50)を備えている請求項３記載の回転異常検知装置。
【請求項５】
前記検知手段(40)が被検知部(34)を検知した際に、通常運転時に検知状態から非検知状態に移行するまでの時間より大きな時間に設定された第１設定時間のカウントを開始する第１のタイマ(48)と、前記検知手段(40)が被検知部(34)の非検知状態に移行した際に、通常運転時に非検知状態から検知状態に移行するまでの最大の時間より大きな時間に設定された第２設定時間のカウントを開始する第２のタイマ(48)とを備えている請求項２〜４の何れかに記載の回転異常検知装置。
【請求項６】
駆動手段(M)で回転される回転体(14)の回転異常を検知する回転異常検知装置の異常検知方法において、
前記回転体(14)に伴って回転する３以上の被検知部(34,74)を、前記回転体(14)の回転中心から同一半径の回転軌跡上に周方向に離間すると共に、該被検知部(34,74)を順次検知可能な検知手段(40,76)が、所定の検知態様を示すように設定し、
前記検知手段(40,76)による被検知部(34,74)の実際の検知態様を、予め設定された正常な検知態様と判定手段(42)で比較することで該回転体(14)の回転異常を判断する
ことを特徴とする回転異常検知装置の異常検知方法。
【請求項７】
前記３以上の被検知部(34)を、各被検知部(34)と周方向に隣り合う両被検知部(34,34)との離間間隔(W,W)が異なるように配置し、前記判定手段(42)は、前記検知手段(40)が前記被検知部(34)を検知してから次に被検知部(34)を検知するまでまたは検知状態の検知手段(40)が非検知状態に移行してから次に被検知部(34)を検知するまでの検知時間を計時する計時手段(44)による最新の検知時間と、検知時間を順次記憶する記憶手段(46)に記憶した少なくとも前２回分の検知時間とが順になす実際の大小パターンを、正常な大小パターンと比較して前記回転体(14)の回転方向を判定する請求項６記載の回転異常検知装置の異常検知方法。
【請求項８】
前記計時手段(44)で計測した検知時間が予め設定した最小検知時間以下となった回数をカウントするカウント手段(50)のカウント数が設定値に達したときに、前記判定手段(42)は前記回転体(14)がハンチングしていると判定する請求項７記載の回転異常検知装置の異常検知方法。
【請求項９】
前記検知手段(40)が、通常運転時に検知状態から非検知状態に移行するまでの時間より大きな時間に設定された第１設定時間以上連続して被検知部(34)を検知した場合、または通常運転時に非検知状態から検知状態に移行するまでの最大の時間より大きな時間に設定された第２設定時間以上連続して被検知部(34)を検知しない場合に、前記判定手段(42)は前記回転体(14)がロックしていると判定する請求項７または８記載の回転異常検知装置の異常検知方法。
【発明の詳細な説明】
【技術分野】
【０００１】
この発明は、駆動手段で回転される回転体の回転異常を検知する回転異常検知装置およびこの回転異常検知装置の異常検知方法に関するものである。
【背景技術】
【０００２】
ドラム式製氷機は、製氷タンクの内部に円筒状の製氷ドラム(回転体)を備え、この製氷ドラムの一部が、製氷タンクに貯留した製氷水に浸漬した状態で回転自在に配設されている。また製氷ドラムは、水平に配置した回転軸の一端にプーリを備え、このプーリとモータの出力軸に設けたプーリとの間にベルトを巻回することで、モータの回転が製氷ドラムに伝達されるようになっている。そして、製氷ドラムの内部に冷凍系から冷媒を供給して冷却しながらモータにより製氷ドラムを回転することで、その表面(外周面)に層状の氷を成長させると共に、この氷を製氷タンクに配設したカッタで剥ぎ取り、この剥がれた氷片をシュートを介して貯氷庫に放出するよう構成される。
【０００３】
また製氷ドラムの如く、製氷に際してモータにより定常的に回転される回転体を有する製氷機としては、オーガ式製氷機がある。このオーガ式製氷機は、円筒状の冷凍ケーシングを、その外周に巻回した蒸発器により強制冷却することで、製氷水タンクから供給した製氷水がケーシング内壁面から徐々に氷結を始め、層状の薄氷が形成されるようになっている。また冷凍ケーシングの内部には、回転体としてのオーガスクリューが内挿され、冷凍ケーシングの下部に配設した下軸受により下端部が回転可能に支持されると共に、製氷機下部に配設したモータにより減速機構を介してオーガスクリューが回転されるよう構成される。オーガスクリューには、冷凍ケーシングの内径より僅かに小さい外径の削切刃が螺旋状に形成され、モータにより回転することでケーシングの内壁面に氷結する薄氷をオーガスクリューの削切刃で削り取りつつ上方に移送するよう構成される。そして、オーガスクリューにより削り取られつつ上方に移送されるフレーク状氷が、押圧頭を通過する過程で圧縮されて水分が除去されることで圧縮氷が生成され、この得られた圧縮氷が冷凍ケーシングの上部に配設された貯氷庫に貯留される。
【０００４】
前述したドラム式またはオーガ式製氷機では、製氷ドラムやオーガスクリューの回転方向が異なると、氷塊を剥ぎ取ることができない不都合があり、また何等かの原因で製氷ドラムやオーガスクリューがロックしたときのモータへの過負荷を回避するため、製氷ドラムやオーガスクリューの回転異常を検知する回転異常検知装置を備えている(例えば、特許文献１参照)。特許文献１に開示したオーガ式製氷機の回転異常検知装置は、オーガスクリューに埋め込まれた被検知部としての１つのマグネットと、冷凍ケーシングの内面に周方向に離間して設けた一対のホールＩＣを備えた検知部とからなり、マグネットの磁力を一方のホールＩＣで検知してから他方のホールＩＣで検知するまでの時間により回転異常を判定している。ここで一対のホールＩＣは、オーガスクリューの回転軸を挟んで非対称な位置関係で配設されているから、モータの正転に際して、一方のホールＩＣがマグネットを検知してから他方のホールＩＣがマグネットを検知するまでの時間と、モータの逆転に際して、一方のホールＩＣがマグネットを検知してから他方のホールＩＣがマグネットを検知するまでの時間とが異なる。回転異常検知装置には、正常時におけるモータの正転に際しての一方のホールＩＣがマグネットを検知してから他方のホールＩＣがマグネットを検知するまでの時間(設定時間)が設定され、一方のホールＩＣがマグネットを検知してから他方のホールＩＣがマグネットを検知するまでの現実の時間が設定時間から外れることで、オーガスクリューの回転方向の異常を判断している。また、一方のホールＩＣがマグネットを検知してから他方のホールＩＣがマグネットを検知するまでの時間が遅い場合や、設定時間を経過しても他方のＩＣが検知しない場合には、オーガスクリューがロックしていると判断している。更に、検知のタイミングが設定時間より早い場合や、再度一方のホールＩＣが検知した場合には、オーガスクリューの回転方向が短時間で頻繁に切替わるハンチングの発生を判断するようになっている。
【特許文献１】特開２００２−３１８０４２号公報
【発明の開示】
【発明が解決しようとする課題】
【０００５】
ところでドラム式製氷機には、ベルトを異なる直径のプーリに掛替えて変速比を変えることで、製氷ドラムの回転速度を変更し得るものがある。また、製氷機を設置する地域により電源の周波数が異なるため、モータ自体の回転数が変わり、これに伴って製氷ドラムやオーガスクリューの回転速度も変わってしまうことがある。前述した回転異常検知装置は、オーガスクリューの回転速度に応じて決定した設定時間に基づいて回転異常を判定するから、回転速度が変わると誤作動してしまうことがある。従って、オーガスクリューの回転速度を変更した場合や製氷機を設置した地域に応じて、回転異常検知装置の設定時間を変更する手間がかかり、管理が煩雑になる欠点がある。ここで、モータ側に回転異常検知装置を配設し、モータの出力軸の回転を検知するように構成すれば、変速比の変更等により回転速度は変わることはないが、回転異常検知装置で実際に製氷ドラムやオーガスクリューに回転が伝達されているか否か判断することができない問題が生じる。
【０００６】
すなわち本発明は、従来の技術に係る回転異常検知装置およびその異常検知方法に内在する前記問題に鑑み、これらを好適に解決するべく提案されたものであって、回転体の回転速度が変わっても、改めて設定変更することなく回転体の回転異常を判定し得る回転異常検知装置およびその異常検知方法を提供することを目的とする。
【課題を解決するための手段】
【０００７】
前記課題を克服し、所期の目的を達成するため、本願の請求項１に係る発明に係る回転異常検知装置は、
駆動手段で回転される回転体の回転異常を検知する回転異常検知装置において、
前記回転体の回転中心から同一半径の回転軌跡上に周方向に離間して配置され、回転体に伴って回転する少なくとも３以上の被検知部と、
前記回転体と共に回転する各被検知部が順次相対する位置に配設され、該被検知部の有無を検知する検知手段と、
前記検知手段による被検知部の検知態様に基づいて、該回転体の回転異常を判断する判定手段とから構成したことを特徴とする。
請求項１に係る発明によれば、回転体の回転に伴って検知手段に順次相対する被検知部の検知手段による検知態様に基づいて、回転体の回転異常を判断するから、回転体の回転速度が変化しても、改めて設定変更することなく回転異常を判断し得る。
【０００８】
請求項２に係る発明は、請求項１記載の回転異常検知装置において、前記３以上の被検知部は、周方向に隣り合う離間間隔が異なるように配置される。
請求項２に係る発明によれば、３以上の被検知部を周方向に隣り合う離間間隔が異なるように配置することで、被検知部は異なるタイミングで検知手段に相対し、検知タイミングの相違に応じた検知態様が得られる。
【０００９】
請求項３に係る発明は、請求項２記載の回転異常検知装置において、前記検知手段が前記被検知部を検知してから次に被検知部を検知するまでまたは検知状態の検知手段が非検知状態に移行してから次に被検知部を検知するまでの検知時間を計時する計時手段と、この計時手段で計測した検知時間を順次記憶する記憶手段とを備え、前記計時手段による最新の検知時間および前記記憶手段に記憶した少なくとも前２回分の検知時間が順になす実際の大小パターンから前記回転体の回転方向を判定するようにした。
請求項２に係る発明によれば、計時手段による最新の検知時間および記憶手段に記憶した少なくとも前２回分の検知時間が順になす実際の大小パターンから回転体の回転方向を判定するので、回転体の回転速度が変化しても、改めて設定変更することなく回転方向を確実に判定し得る。
【００１０】
請求項４に係る発明は、請求項３記載の回転異常検知装置において、前記計時手段で計測した検知時間が、予め設定した最小検知時間以下となった回数を計数するカウント手段を備える。
請求項４に係る発明によれば、カウント手段により計時手段で計測した検知時間が予め設定した最小検知時間以下となった回数を計数することで、回転体のハンチングを判定し得る。すなわち、回転体のハンチングに起因する駆動手段の過負荷や回転体の破損等を確実に回避し得る。
【００１１】
請求項５に係る発明は、請求項２〜４の何れかに記載の回転異常検知装置において、前記検知手段が被検知部を検知した際に、通常運転時に検知状態から非検知状態に移行するまでの時間より大きな時間に設定された第１設定時間のカウントを開始する第１のタイマと、前記検知手段が被検知部の非検知状態に移行した際に、通常運転時に非検知状態から検知状態に移行するまでの最大の時間より大きな時間に設定された第２設定時間のカウントを開始する第２のタイマとを備える。
請求項５に係る発明によれば、検知手段が被検知部を検知した際に、予め設定した第１設定時間のカウントを開始する第１のタイマのカウントアップにより、回転体のロックを判定し得る。また、検知手段が被検知部の非検知状態に移行した際に、予め設定した第２設定時間のカウントを開始する第２のタイマのカウントアップにより、回転体のロックを判定し得る。すなわち、回転体のロックに起因する駆動手段の過負荷や回転体の破損等を確実に回避し得る。
【００１２】
前記課題を克服し、所期の目的を達成するため、本願の請求項５に係る発明に係る回転異常検知装置の異常検知方法は、
駆動手段で回転される回転体の回転異常を検知する回転異常検知装置の異常検知方法において、
前記回転体に伴って回転する３以上の被検知部を、前記回転体の回転中心から同一半径の回転軌跡上に周方向に離間すると共に、該被検知部を順次検知可能な検知手段が、所定の検知態様を示すように設定し、
前記検知手段による被検知部の実際の検知態様を、予め設定された正常な検知態様と判定手段で比較することで該回転体の回転異常を判断することを特徴とする。
請求項６に係る発明によれば、３以上の被検知部を検知手段により順次検知した実際の検知態様と、予め設定された正常な検知態様と判定手段で比較することで、回転体の回転異常を判断するから、回転体の回転速度が変化しても、改めて設定変更することなく回転異常を判断し得る。
【００１３】
請求項７に係る発明は、請求項６記載の回転異常検知装置の異常検知方法において、前記３以上の被検知部を、各被検知部と周方向に隣り合う両被検知部との離間間隔が異なるように配置し、前記判定手段は、前記検知手段が前記被検知部を検知してから次に被検知部を検知するまでまたは検知状態の検知手段が非検知状態に移行してから次に被検知部を検知するまでの検知時間を計時する計時手段による最新の検知時間と、検知時間を順次記憶する記憶手段に記憶した少なくとも前２回分の検知時間とが順になす実際の大小パターンを、正常な大小パターンと比較して前記回転体の回転方向を判定する。
請求項７に係る発明によれば、計時手段による最新の検知時間および記憶手段に記憶した少なくとも前２回分の検知時間が順になす実際の大小パターンを、正常な大小パターンと比較して回転体の回転方向を判定するので、回転体の回転速度が変化しても、改めて設定変更することなく回転方向を確実に判定し得る。
【００１４】
請求項８に係る発明は、請求項６または７記載の回転異常検知装置の異常検知方法において、前記計時手段で計測した検知時間が予め設定した最小検知時間以下となった回数をカウントするカウント手段のカウント数が設定値に達したときに、前記判定手段は前記回転体がハンチングしていると判定する。
請求項８に係る発明によれば、回転体のハンチングに起因する駆動手段の過負荷や回転体の破損等を確実に回避し得る。
【００１５】
請求項９に係る発明は、請求項７または８記載の回転異常検知装置の異常検知方法において、前記検知手段が、通常運転時に検知状態から非検知状態に移行するまでの時間より大きな時間に設定された第１設定時間以上連続して被検知部を検知した場合、または通常運転時に非検知状態から検知状態に移行するまでの最大の時間より大きな時間に設定された第２設定時間以上連続して被検知部を検知しない場合に、前記判定手段は前記回転体がロックしていると判定される。
請求項９に係る発明によれば、回転体のロックに起因する駆動手段の過負荷や回転体の破損等を確実に回避し得る。
【発明の効果】
【００１６】
本発明に係る回転異常検知装置およびその異常検知方法によれば、回転体の回転速度が変化しても、改めて設定変更することなく回転異常を判断し得るから、回転異常検知装置の信頼性を向上し得ると共に、駆動手段や回転体を確実に保護し得る。
【発明を実施するための最良の形態】
【００１７】
次に、本発明に係る回転異常検知装置およびその異常検知方法につき、好適な実施例を挙げて、添付図面を参照して以下に説明する。なお実施例では、回転異常検知装置が設けられる対象として、製氷に際して駆動手段により定常的に回転される回転体としての製氷ドラムを有するドラム式製氷機を例に挙げて説明し、製氷機における駆動手段の配設側を後側とし、製氷ドラムは前後方向にその回転軸の軸線を延在して配設される。
【実施例】
【００１８】
図１は、実施例に係るドラム式製氷機１０の一部を概略的に示す断面図である。この製氷機１０には、上方に開口して所定量の製氷水が貯留される製氷タンク１２の内部(製氷室)に、円筒状の製氷ドラム(回転体)１４が、前後方向に延在するよう水平に配置した回転軸１４ａ,１４ｂを中心として回転自在に配設されている。製氷タンク１２には、外部水道系に接続する給水管の給水口１６が後壁部１２ａに設けられ、水位センサ１８による水位の検知状況に応じて給水弁を開閉制御することで、製氷タンク１２内の製氷水の水位を一定に保つよう構成される。また、製氷タンク１２の上部開口は、開閉自在な蓋２０によって被覆されて略密閉されている。
【００１９】
前記製氷タンク１２の一側方(図１の右側方)に、下方に設けた貯氷庫(図示せず)に連通するシュート２２が配設され、シュート２２と製氷タンク１２とは、タンク１２の右側面上部で連通するよう構成される。製氷タンク１２には、シュート２２が連通する部位における前後の両壁部１２ａ,１２ｂ間に、製氷ドラム１４における製氷水から出ている表面(外周面)に刃先を向けたカッタ２４が配設され、回転する製氷ドラム１４の表面に生成された氷をカッタ２４で剥ぎ取るようになっている。このカッタ２４の上面には、製氷ドラム１４から離間するにつれて下方傾斜するスロープ２６が設けられ、カッタ２４により剥ぎ取られた氷片は、カッタ上面およびスロープ２６を滑ってシュート２２に案内されるよう構成される。
【００２０】
図２に示すように、製氷ドラム１４は中空の円筒体であって、その各端面の中心から回転軸１４ａ,１４ｂが外方へ向けて夫々突設されている。製氷ドラム１４は、各回転軸１４ａ,１４ｂが製氷タンク１２における前後の壁部１２ａ,１２ｂに設けた軸受１３,１３に夫々枢支され、製氷タンク１２に貯留した製氷水に一部を浸漬した状態で水平に配設される。また製氷ドラム１４は、後壁部１２ａから製氷タンク１２の外方に突出した第１回転軸１４ａが、モータ(駆動手段)Ｍに伝達手段６０を介して連結されている。
【００２１】
前記伝達手段６０は、第１回転軸１４ａの軸端に配設した第１プーリ６２と、モータＭの出力軸Ｍ１に配設した第２プーリ６４と、この第１プーリ６２と第２プーリ６４との間に巻回したベルト６６とから構成される。第１プーリ６２および第２プーリ６４は、大径部６２ａ,６４ａと小径部６２ｂ,６４ｂとを備え、ベルト６６の巻掛け位置を、プーリ６２,６４の大径部６２ａ,６４ａまたは小径部６２ｂ,６４ｂの何れか選択することで、伝達手段６０の変速比を変更することができる。実施例では、第１プーリ６２の小径部６２ｂと第２プーリ６４の大径部６４ａとの間にベルト６６を巻回しているが、第１プーリ６２の大径部６２ａと第２プーリ６４の小径部６４ｂとの間にベルト６６を掛替えることで、製氷ドラム１４の回転速度を速くすることができる。
【００２２】
前記前壁部１２ｂに設けた軸受１３に保持した第２回転軸１４ｂは２重管となっており、この第２回転軸１４ｂを介して冷凍系からの冷媒を製氷ドラム１４の内部に導くと共に、製氷ドラム１４と熱交換した冷媒を冷凍系に返送するようになっている。そして製氷運転に際して、製氷ドラム１４は冷凍系から冷媒を製氷ドラム１４の内部に供給することで、製氷ドラム１４を冷却すると共に、モータＭにより所定方向に一定の回転速度で回転するよう構成される。
【００２３】
前記製氷機１０は、製氷ドラム１４の回転方向の異常、ロックまたはハンチング等の回転異常によるモータＭの過負荷や製氷ドラム１４の破損等を回避するため、回転異常検知装置３０を備えている。この回転異常検知装置３０は、第１回転軸１４ａに配設した回転部材としてのプレート３２に設けた少なくとも３以上(実施例では６箇所)の孔部(被検知部)３４と、この孔部３４に相対して配設されて孔部３４の有無を検知する１つのフォトセンサ(検知手段)４０と、このフォトセンサ４０による孔部３４の検知および非検知のタイミングに基づいて製氷ドラム１４の回転異常の有無を判定する判定手段４２とから基本的に構成される(図４参照)。
【００２４】
円形板状のプレート３２は、後壁部１２ａから製氷タンク１２の外方に突出した第１回転軸１４ａに同軸的に固定され、製氷ドラム１４の回転に伴って一体的に回転するよう構成される(図２参照)。各孔部３４は、プレート３２を貫通して形成されると共に、製氷ドラム１４の回転中心から同一半径の(軸線(第１回転軸１４ａ)を中心とする同一)回転軌跡上において周方向に離間して配置されている。３以上の孔部３４は、一の孔部(各孔部)３４と周方向に隣り合う両孔部３４,３４との離間間隔Ｗ,Ｗが異なるように設定されている(図３参照)。すなわち、周方向に隣り合う孔部３４,３４がなす離間間隔Ｗは、周方向の両隣に形成される離間間隔Ｗと異なるように各孔部３４が配置され、実施例ではプレート３２の半周毎に段階的に離間間隔Ｗが変化するようになっている。そして、隣り合う孔部３４,３４の離間間隔Ｗを異なる間隔で設定することで、製氷ドラム１４の回転に際して、一の孔部３４がフォトセンサ４０に相対してから次に孔部３４が相対するタイミングが離間間隔Ｗに応じて決定される。
【００２５】
図３において、フォトセンサ４０に相対している孔部３４を便宜的に第１孔部３４Ａとすると、実施例では、右半周円上に並んだ４つの孔部３４(例えば第１〜第４孔部)で組を構成し、第１孔部３４Ａと第２孔部３４Ｂとの離間間隔Ｗ１より第２孔部３４Ｂと第３孔部３４Ｃとの離間間隔Ｗ２を大きく設定し、該離間間隔Ｗ２より第３孔部３４Ｃと第４孔部３４Ｄとの離間間隔Ｗ３を大きく設定してある。また、左半周円上に並んだ第４〜第１孔部３４で別の組が構成され、第４孔部３４Ｄと第５孔部３４Ｅとの離間間隔Ｗ１は、第１孔部３４Ａと第２孔部３４Ｂとの離間間隔Ｗ１と同一であり、第５孔部３４Ｅと第６孔部３４Ｆとの離間間隔Ｗ２は、第２孔部３４Ｂと第３孔部３４Ｃとの離間間隔Ｗ２と同一であり、第６孔部３４Ｆと第１孔部３４Ａとの離間間隔Ｗ３は、第３孔部３４Ｃと第４孔部３４Ｄとの離間間隔Ｗ３と同一に設定される。すなわち、製氷ドラム１４が半周だけ回転する毎に、隣り合う孔部３４,３４がなす離間間隔Ｗの大小関係のパターンが１組構成され、製氷ドラム１４が一回転すると、同一の大小関係のパターンが２度現われるようになっている。
【００２６】
前記フォトセンサ４０は、製氷ドラム１４の回転に伴って回転する各孔部３４が順次相対し得る位置に配設されている。フォトセンサ４０は、光を照射する発光部４０ａおよびこの光を受容する受光部４０ｂとを備え、発光部４０ａおよび受光部４０ｂが、孔部３４の回転軌跡に相対する位置でプレート３２を挟んで対向配置されている。そして、フォトセンサ４０の発光部４０ａと受光部４０ｂとの間にプレート３２の板部３２ａが存在しているときは、受光部４０ａから照射された光はプレート３２に遮られて非検知状態(板部３２ａの検知状態)となる。また、発光部４０ａと受光部４０ｂとの間に孔部３４が位置しているときは、孔部３４を介して発光部４０ａから照射した光は受光部４０ｂで受容されて検知状態(板部３２ａの非検知状態)となり、フォトセンサ４０から検知信号が出力されて判定手段４２に入力するようになっている。
【００２７】
前記判定手段４２は、孔部３４の検知によりフォトセンサ４０から入力される検知信号の入力間隔および入力されてから非入力状態に移行する間隔(実際の検知態様)に基づいて、製氷ドラム１４における回転方向の正逆、ロックおよびハンチングの発生を判定するものである。具体的には判定手段４２は、検知信号が入力された後、非入力状態に移行してから次に検知信号が入力されるまでの間隔(フォトセンサ４０が板部３２ａと相対している時間)を計時する計時手段４４と、この計時手段４４で計時した検知時間を順次記憶する記憶手段４６と、検知信号の入力状態または非入力状態に移行した際に予め設定した設定時間を計時するタイマ４８と、検知時間が予め設定した最小検知時間以下の場合にカウントするカウント手段５０とを備えている。なお実施例では、フォトセンサ４０が孔部３４を検知した際に、第１設定時間をカウントする第１のタイマと、フォトセンサ４０が孔部３４の非検知状態に移行した際に、第２設定時間をカウントする第２のタイマとをタイマ４８で兼用している。
【００２８】
前記計時手段４４は、フォトセンサ４０が孔部３４を検知して判定手段４２に検知信号が入力された後、板部３２ａを検知(孔部３４の非検知状態に移行)してから次に孔部３４を検知して検知信号が入力されるまでの検知時間を計測するよう構成される。すなわち、実施例の計時手段４４は、フォトセンサ４０に対し、隣り合う孔部３４,３４間の板部３２ａが相対している時間を計測している。なお、電源の投入時に、フォトセンサ４０に板部３２ａが相対している場合は、計時手段４４による計時は開始されず、最初に孔部３４が検知された後、孔部３４の非検知状態に移行したときに計時を開始するように設定される。
【００２９】
記憶手段４６には、計時手段４４で計測された検知時間が順次記憶され、最新に入力された検知時間の前に入力された検知時間のうち、少なくとも過去(前)２回分のデータが保持されるようになっている。判定手段４２は、孔部３４が検知されて検知時間が計時手段４４から得られた際に、最新の検知時間と記憶手段４６に記憶された過去２回分の検知時間とが順になす実際の大小関係のパターンを、判定手段４２に予め設定された正常な大小パターン(正常な検知態様)と照合(比較)するようになっている。この正常な大小パターンは、製氷ドラム１４が正転した際に、隣り合う孔部３４,３４がなす離間間隔Ｗの相違により生じる各孔部３４がフォトセンサ４０に相対するタイミングの大小関係のパターンに基づいて設定される。実施例では正転(図３の反時計回り)した際には、…小,中,大,小,中,大,小…(Ｗ１,Ｗ２,Ｗ３)の順に大小関係のパターンが繰返されるようになっている。そして判定手段４２は、フォトセンサ４０が孔部３４を検知して検知時間が得られる度に実際の検知時間の大小パターンと正常な大小パターンとを照合し、両者が適合する場合には製氷ドラム１４は正転していると判定するようになっている。
【００３０】
具体的には、計時手段４４から実際に得られた検知時間のデータが３つある場合に、順次検知時間が長くなる正常な大小パターンと比較して、２つ前の検知時間＞１つ前の検知時間＞最新の検知時間となったとき、判定手段４２で逆回転が発生していることを判定するように設定されている。そして、回転異常検知装置３０は、判定手段４２で検知時間の大小パターンと正常なパターンとが適合せず、逆転していると判定されると、製氷ドラム１４の回転方向の異常を検知するよう構成される。
【００３１】
タイマ４８は、孔部３４を検知すると第１設定時間のカウントを開始し、孔部３４の非検知状態に移行すると(フォトセンサ４０に板部３２ａが位置した状態)、第１設定時間のカウントをリセットして第２設置時間のカウントを開始するようになっている。また、フォトセンサ４０による孔部３４の非検知状態から検知状態に移行すると、第２設定時間のカウントをリセットして第１設置時間のカウントを開始するよう構成される。そして回転異常検知装置３０は、タイマ４８が第１設定時間または第２設定時間をカウントアップすることで、製氷ドラム１４のロックを判定するよう構成される。第１設定時間は、通常運転時にフォトセンサ４０による孔部３４の検知状態から非検知状態に移行するまでの時間より大きな時間に設定される。具体的には、第１設定時間は製氷ドラム１４の回転速度やベルト６６の掛替えによる回転速度変更や経年変化等を勘案し、通常運転で孔部３４が検知されてから非検知になるまでに要する時間に更に余裕をみた値(例えば５秒程度)に設定される。これに対して第２設定時間は、通常運転時にフォトセンサ４０による孔部３４の非検知状態から検知状態に移行するまでの最大の時間より大きな時間に設定される。具体的には、第２設定時間は、製氷ドラム１４の回転速度やベルト６６の掛替えによる回転速度変更や経年変化等を勘案し、通常運転において一番離間した孔部３４,３４間(Ｗ３)で先の孔部３４を検知した後、非検知状態に移行してから次に孔部３４が検知されるまでに要する時間に更に余裕をみた値(例えば２０秒程度)に設定される。
【００３２】
前記カウント手段５０は、計時手段４４によりカウントした検知時間を、判定手段４２で予め設定した最小検知時間と比較して、検知時間が最小検知時間以下の場合に、カウント値(カウント数)を１だけ付加するよう構成される。また、検知時間が最小検知時間より大きい場合には、カウント手段５０がカウントアップすることなく、記憶手段４６に検知時間が入力される。そして、カウント手段５０のカウント値が予め設定した設定値(実施例では３)に達した際に、判定手段４２は製氷ドラム１４におけるハンチングの発生を判定するよう構成される。ここで最小検知時間は、製氷ドラム１４の回転速度やベルト６６の掛替えによる回転速度変更や経年変化等を勘案し、通常運転において一番近接した孔部３４,３４間(Ｗ１)で先の孔部３４を検知した後、非検知状態に移行してから次の孔部３４を検知するまでに要する時間より充分小さい値(例えば１秒程度)で設定される。なお、タイマ４８の第１設定時間および第２設定時間、カウント手段５０の設定値、計時手段４４の最小検知時間は、操作手段５２により任意に設定することができる。
【００３３】
そして製氷機１０は、回転異常検知装置３０で検知した製氷ドラム１４の逆回転、ロックおよびハンチング検知によりモータＭを停止させたり、警告灯の点灯や警告音を出力することで回転異常を使用者に報知し得るように構成される。
【００３４】
〔実施例の作用〕
次に、実施例に係る回転異常検知装置の作用について説明する。先ず、回転異常検知装置３０による回転方向の正逆およびハンチングの検知について、図５のフローチャートを参照して説明する。操作手段５２に設けられた図示しない電源スイッチをＯＮすることで電源が投入(ＯＮ)されると共に(ステップＳ１)、モータＭが駆動されて伝達手段６０を介して製氷ドラム１４が回転される(ステップＳ２)。このとき、冷凍系から冷媒が製氷ドラム１４の内部に供給されて、製氷ドラム１４が冷却される。製氷ドラム１４における製氷水に浸漬している部分では、その表面に層状の氷が成長し、製氷ドラム１４の回転によって氷が製氷水から外部に出ると、過冷却されて水分を含まない乾いた氷となる。そして、この氷がカッタ２４で剥ぎ取られて薄い鱗状の氷片となり、スロープ２６上を滑ってシュート２２に案内され、該シュート２２内を落下して貯氷庫に放出される。
【００３５】
また、フォトセンサ４０による孔部３４の有無の検知が開始され(ステップＳ３)、製氷ドラム１４が回転することで、第１回転軸１４ａに配設したプレート３２も回転し、フォトセンサ４０に相対する位置に例えば第１孔部３４Ａが到来する(図３参照)。フォトセンサ４０での第１孔部３４Ａの検知により検知信号が判定手段４２に入力された後、プレート３２が回転して第１孔部３４Ａがフォトセンサ４０に相対する位置から外れ、板部３２ａを検知(第１孔部３４Ａの非検知状態に移行)することで(ステップＳ４)、計時手段４４による計時が開始される(ステップＳ５)。そして、フォトセンサ４０による次の孔部３４の検知の有無が判定される(ステップＳ６)。すなわち、製氷ドラム１４が正転している場合は、第２孔部３４Ｂがフォトセンサ４０に相対する位置に到来することで、第２孔部３４Ｂを検知したタイミングで検知信号が判定手段４２に入力される。また、製氷ドラム１４が逆転した場合は、第６孔部３４Ｆがフォトセンサ４０に相対する位置に到来することで、第６孔部３４Ｆを検知したタイミングで検知信号が判定手段４２に入力される。更に、製氷ドラム１４がハンチングを起こしている場合には、第１孔部３４Ａがフォトセンサ４０に再び相対することもあり、再度第１孔部３４Ａを検知したタイミングで検知信号が判定手段４２に入力される。検知状態にあったフォトセンサ４０の非検知状態への移行に伴って時間を計っていた計時手段４４は、次に検知信号が入力されることで計時を終了し(ステップＳ７)、フォトセンサ４０が先の孔部３４を検知しなくなって(非検知状態への移行)から後の孔部３４を検知したタイミングに応じた検知時間が得られる。
【００３６】
ここで計時手段４４は、電源を投入した際に、フォトセンサ４０が最初の孔部３４を検知してから非検知状態に移行したときに計時を開始するよう構成される。すなわち計時手段４４は、電源投入時にフォトセンサ４０に板部３２ａが相対していても計時を開始しないから、隣り合う孔部３４,３４の離間間隔Ｗに応じた検知時間を正確に計測することができる。
【００３７】
次に判定手段４２は、得られた検知時間を判定手段４２に設定された最小検知時間と比較する(ステップＳ８)。検知時間が最小検知時間以下である場合は、第１孔部３４Ａが続けて検知されている蓋然性が高いから、ハンチング判定のフロー(ステップＳ９〜Ｓ１１)に移行する。ハンチング判定では、カウント手段５０のカウント値が１だけ加えられ(ステップＳ９)、トータルのカウント値が設定値(実施例では３)に達しているか否かが判定される(ステップＳ１０)。カウント手段５０のカウント値が設定値に達した場合には、同じ孔部３４が続けて数回検知されていると判断し得るので、回転異常検知装置３０は製氷ドラム１４にハンチングが発生していると判断してモータＭを停止する(ステップＳ１１およびＳ１２)。また、ステップＳ１０において、カウント手段５０のカウント値が設定値に達していない場合には、ステップＳ４に移行して、ステップＳ６で検知された後の孔部３４をフォトセンサ４０が検知しなくなり、板部３２ａを検知したか否かを判定し、ＹＥＳであれば、ステップＳ５に移行して計時手段４４の計時が開始される。
【００３８】
このように回転異常検知装置３０は、フォトセンサ４０で同じ孔部３４を続けて複数回検知し、カウント手段５０のカウント値が設定値に達した場合にだけハンチングと判断するよう設定されているから、製氷機１０の振動やモータＭの起動時の振動その他に起因する同じ孔部３４の誤検知等による誤ったハンチングの判断を回避することができる。すなわち、回転異常検知装置３０によるハンチングの判定の信頼性を向上し得る。
【００３９】
一方、判定手段４２で行うステップＳ８での比較において、得られた検知時間が最小検知時間より大きい場合には、製氷ドラム１４における回転方向の判定フロー(ステップＳ１３〜Ｓ１８)に移行する。先ず、カウント手段５０のカウント値をクリアして初期状態(＝０)に戻すと共に(ステップＳ１３)、記憶手段４６に検知時間を記憶させる(ステップＳ１４)。記憶手段４６に記憶された検知時間のデータが、過去２回分ない場合には(ステップＳ１５)、検知時間の大小関係のパターンを構成できないので、ステップＳ４に移行して、ステップＳ６で検知された後の孔部３４をフォトセンサ４０が検知しなくなり、板部３２ａを検知したか否かを判定し、ＹＥＳであれば、ステップＳ５に移行して計時手段４４の計時が開始される。
【００４０】
また、記憶手段４６に記憶された検知時間のデータが、過去２回分ある場合には(ステップＳ１５)、過去２回分の検知時間と今回得られた検知時間との３つのデータ間で形成される大小関係のパターンと、予め判定手段４２に設定した正常な大小パターンとが照合される(ステップＳ１６)。すなわち、正常な大小パターンは、…小,中,大,小,中,大,小…の大小関係を繰返すように設定され、製氷ドラム１４が正転している場合は、検知時間の大小関係が、…小,中,大,小,中,大,小…のパターンの何れか連続する３つの大小関係のパターン(小中大,中大小,大小中)で現われるから、正常な大小パターンに適合して製氷ドラム１４が正転していることを判断し、ステップＳ１７に移行する。これに対し、製氷ドラム１４が逆転している場合は、検知時間の大小関係が、…大,中,小,大,中,小,大…のパターンのうちの何れか連続する３つの大小関係のパターンで現われるから、正常な大小パターンとは適合しないので、製氷ドラム１４が逆回転していることを判断し、ステップＳ１８に移行する。なお実施例では、検知時間が小,中,大と順次繰返すよう孔部３４,３４の離間間隔Ｗを設定した正常な大小パターンに対して、得られた３つの検知時間の大小パターンが、大,中,小のパターンで現われたときのみ、逆回転を判定している。そして、ステップＳ１６で製氷ドラム１４が正転していると判定されると、ステップＳ１７からステップＳ４に移行して、ステップＳ６で検知された後の孔部３４をフォトセンサ４０が検知しなくなり、板部３２ａを検知したか否かを判定し、ＹＥＳであれば、ステップＳ５に移行して計時手段４４の計時が開始され、ステップＳ８以降の工程が繰返される。また、ステップＳ１６で製氷ドラム１４が逆転していると判定されると、ステップＳ１８からステップＳ１２に移行してモータＭが停止される。
【００４１】
このように回転異常検知装置３０は、判定手段４２が検知時間そのもので回転方向の正逆を判断するのではなく、検知時間の大小関係のパターンを、隣り合う孔部３４,３４がなす離間間隔Ｗの大小関係のパターンと比較することで判断している。すなわち、ベルト６６の掛替え、設置地域による電源周波数の相違やモータＭの経年変化等に起因して製氷ドラム１４の回転速度が変わっても、離間間隔Ｗの大小関係は変わることがないので、何等かの設定を変更することなく正確に回転方向を判断することができる。しかも、回転異常検知装置３０は、第１回転軸１４ａに配設したプレート３２に設けた孔部３４と、この孔部３４の有無を検知するフォトセンサ４０との組合わせが、モータＭ側ではなく製氷ドラム１４側に設けられているので、製氷ドラム１４自体の回転の有無を判断することができる。なお、製氷ドラム１４がハンチングを起こしている場合も、フォトセンサ４０による孔部３４の検知態様が、正常な検知態様と適合しないから回転異常を検知し得る。
【００４２】
次に、回転異常検知装置３０による製氷ドラム１４のロックの検知について、図６に示すフローチャートを参照して説明する。電源が投入されてモータＭが回転し(ステップＳ１およびＳ２)、製氷ドラム１４が回転すると、フォトセンサ４０における孔部３４の検知の有無が判定される(ステップＳ３)。フォトセンサ４０に孔部３４の何れかが相対し、孔部３４の検知信号がフォトセンサ４０から判定手段４２に入力された場合には、タイマ４８が第１設定時間のカウントを開始する(ステップＳ２０)。そして、フォトセンサ４０による孔部３４の検知状態が非検知状態に移行(板部３２ａを検知)したか否かの判定をすることで(ステップＳ２１)、製氷ドラム１４の回転の有無が判断される。すなわち回転異常検知装置３０は、ステップＳ２１でカウントを開始した第１設定時間がカウントアップする前にフォトセンサ４０が孔部３４の非検知状態に移行しない場合には、製氷ドラム１４がロックしているものと判定手段４２で判定してモータＭが停止される(ステップＳ２２,Ｓ２３,Ｓ２４)。
【００４３】
一方、フォトセンサ４０にプレート３２の板部３２ａが相対し、孔部３４の非検知状態である場合には、第２設定時間のカウントを開始する(ステップＳ２５)。また、ステップＳ２０でカウントを開始した第１設定時間がカウントアップする前にフォトセンサ４０が孔部３４の非検知状態に移行した場合には(ステップＳ２１)、第２設定時間のカウントを開始する(ステップＳ２５)。そして、フォトセンサ４０による孔部３４の非検知状態が検知状態に移行したか否かの判定をすることで(ステップＳ２６)、製氷ドラム１４の回転の有無が判断される。すなわち回転異常検知装置３０は、ステップＳ２５でカウントを開始した第２設定時間がカウントアップする前にフォトセンサ４０が孔部３４の検知状態に移行しない場合には、製氷ドラム１４がロックしているものと判定手段４２で判定してモータＭが停止される(ステップＳ２７,Ｓ２３,Ｓ２４)。なお、ステップＳ２５でカウントを開始した第２設定時間がカウントアップする前にフォトセンサ４０が孔部３４の検知状態に移行した場合には(ステップＳ２６)、第１設定時間のカウントを開始する(ステップＳ２０)。
【００４４】
このように回転異常検知装置３０は、タイマ４８に設定した第１設定時間または第２設定時間のカウントアップにより製氷ドラム１４のロックを判定しているから、製氷ドラム１４のロックによるモータＭへの過負荷や製氷ドラム１４自体の破損等を回避することができる。ここで、製氷ドラム１４におけるハンチングの振れ幅が、孔部３４の幅や隣り合う孔部３４,３４間の板部３２ａの範囲内で発生した場合は、フォトセンサ４０が孔部３４の検知状態または非検知状態を継続するから、孔部３４を検知してから次に孔部３４を検知するまでの検知時間が最大検知時間より大きくなることがある。この場合、孔部３４を検知してから次に孔部３４を検知するまでの検知時間が長くなるので、タイマ４８に設定した設定時間の経過によるロック検知により対処することができる。
【００４５】
回転異常検知装置３０は、検知手段としてフォトセンサ４０が一つだけで、製氷ドラム１４の回転方向の正逆、ロックおよびハンチングを検知することができるから、モータＭへの過負荷や製氷ドラム１４自体の破損等を回避し得るだけでなく、コストを低減することができる。また、フォトセンサ４０は、被検知部である孔部３４を非接触下で検知し得るので、モータＭの起動時の振動等により誤検出することがなく、回転異常検知装置３０として信頼性を向上し得る。更に、回転異常検知装置３０により逆回転を確実に検知し得るから、モータＭ等を逆回転から保護するために設けられていた反相リレーを省くことができ、コストを低減し得る。
【００４６】
なお本発明では、前述した実施例のものに限られるものではなく、種々の変更が可能である。
(１)フォトセンサの配置は、製氷タンクの後壁部に固定する構成であってもよい。
(２)実施例のフォトセンサとしては、発光部と受光部とを備える透過型のものを採用したが、反射型のものであってもよい。このとき被検知部としては、光を反射し得る鏡や鏡面加工を施す等、他の部分と比較して反射率を向上する構成とすればよい。
(３)実施例では、検知手段として光学的な手段であるフォトセンサを採用し、被検知部であるプレートに設けた孔部を検知する構成であるが、これに限定されず、検知手段として磁気的な手段であるホールＩＣ等の磁気センサを採用し、被検知部としての磁石を検知するものであってもよい。また、検知手段として機械的な接点を有するマイクロスイッチを採用し、プレートに設けた突起や孔部等の被検知部を検知する構成も採用し得る。
(４)実施例では、製氷タンクの外方において、被検知部である孔部を設けたプレートを第１回転軸に配設したが、製氷ドラムの回転に伴って回転すれば、例えば、第２回転軸側や製氷タンクの内方に被検知部を設けたプレートを配設する構成または製氷ドラムの側端面に設ける構成であってもよい。このとき何れの場合であっても検知手段は、被検知部に相対する位置に製氷機に対して固定的に配設される。
(５)実施例では、第１のタイマと第２のタイマとを１つのタイマで兼用したが、別々のものであってもよい。
(６)被検知部としての孔部の数も実施例の数(６つ)に限定されるものではなく、例えば３以上であれば例えば９つ等その他適宜設定し得る。  
(７)実施例では、モータから製氷ドラムに回転を伝達する手段として、プーリ間に巻回したベルトを用いたが、スプロケットとチェーンとの組合わせや、歯車を組合わせたギヤ機構や、モータの出力軸と第１回転軸とを直に接続してもよい。
(８)実施例では、回転体として製氷ドラムを備えるドラム式製氷機に回転異常検知装置を適用した場合について説明したが、冷却した冷凍ケーシングに製氷水を供給し、この冷凍ケーシングに内挿した回転体としてのオーガスクリューを回転させることで、氷塊を剥ぎ取るよう構成したオーガ式製氷機に適用することもできる。
(９)回転異常検知装置を設ける対象としては、製氷機に限定されず、例えば回転体としての氷送出スクリューやアジテータを備えた貯氷庫であってもよい。
(１０)実施例の計時手段は、検知状態にある被検知部である孔部を検知手段が検知しなくなって(非検知状態に移行して)から次に孔部を検知するまでの検知時間を計時したが、孔部を検知したらすぐに計時手段による計時を開始し、次に孔部を検知したら計時を終了するよう構成してもよい。
(１１)実施例では、検知時間を計測する計時手段と、第１設定時間および第２設定時間をカウントするタイマとを別体としたが、計時手段が第１設定時間および第２設定時間をカウントするタイマを兼ねる構成であってもよい。この場合、計時手段は、フォトセンサが孔部を検知した際に、第１設定時間のカウントを開始し、第１設定時間を経過する前にプレートの板部が検知(孔部が非検知状態に移行)されると、検知時間の計時を開始すると共に、第２設定時間のカウントを開始する。そして、検知状態にあるフォトセンサが非検知状態に移行する前に、第１設定時間を経過した場合は、回転体のロックを判断し得る。また、フォトセンサが次の孔部を検知する前に、第２設定時間を経過した場合も、回転体のロックを判断し得る。なお、第１設定時間および第２設定時間は、実施例と同様に設定される。
【００４７】
(１２)実施例では、回転体の回転中心から同一半径の回転軌跡上に位置する３以上の被検知部を、周方向に隣り合う離間間隔を異なるように配置するよう構成したが、図７に示すように、各被検知部７４自体の周方向の延在長さＮを夫々異なるように設定した構成も採用し得る。なお、実施例の回転異常検知装置と基本的な構成や回転方向、ハンチングおよびロック判定の流れは同様であるから異なる部分のみ説明する。
【００４８】
変更例に係る回転異常検知装置７０は、製氷ドラム等の回転体(図示せず)における回転中心から同一半径の回転軌跡上に位置すると共に、周方向に隣り合うもの同士における周方向の延在長さＮが異なる少なくとも３以上の被検知部(変更例では６つ)７４と、回転体と共に回転する各被検知部７４が順次相対する位置に配設され、該被検知部７４の有無を検知する検知手段７６と、検知手段７６による被検知部７４の検知態様に基づいて、該回転体の回転異常を判断する判定手段(図示せず)とから構成される。変更例の検知手段は、例えば反射型のフォトセンサ７６が採用され、回転体の回転軸１４ａに同軸的に固定されたプレート７２の周方向に配置した被検知部としての反射部７４が、フォトセンサ７６に相対した際に、当該反射部７４の存在を検知して、その検知信号が判定手段に入力されるようになっている。各反射部７４は、周方向に所定の延在長さＮで形成されると共に、隣り合う反射部７４,７４の間にフォトセンサ７６が非検知状態となる部分(非検知部分)７２ａが形成される。この非検知部分７２ａにおける周方向の延在長さは、全て同一に設定され、周方向に隣り合う非検知部分７２ａ,７２ａの離間間隔(実施例の離間間隔Ｗに相当)が異なるように配置される。判定手段の計時手段(図示せず)は、フォトセンサ７６が反射部７４を検知してから反射部７４の非検知状態に移行するまでの間隔(検知時間)を計測するよう構成され、回転体の回転に際し、反射部７４の延在長さＮに応じた所定の大小パターンで検知時間が得られる。そして検知時間は、図示しない記憶手段に順次記憶され、計時手段による最新の検知時間および記憶手段に記憶した少なくとも前２回分の検知時間が順になす実際の大小パターンから回転体の回転方向が判定される。また、ロック検知のために設けられる変更例のタイマ(図示せず)は、フォトセンサ７６が反射部７４の非検知状態に移行した際に、通常運転時に非検知状態から検知状態に移行するまでの時間より大きな時間に設定した第３設定時間のカウントを開始するよう構成される。またタイマは、フォトセンサ７６が反射部７４の検知状態に移行した際に、通常運転時に検知状態から非検知状態に移行するまでの最大の時間より大きな時間に設定した第４設定時間のカウントを開始するようになっている。
【００４９】
変更例の回転異常検知装置７０によれば、周方向に隣り合う反射部７４,７４の延在長さＮ,Ｎを異なるように設定し、この反射部７４のフォトセンサ７６による検知態様(反射部７４の延在長さＮのなす大小パターンに応じて現われる検知時間の大小パターン)に基づいて回転異常を判断するから、実施例と同様の作用効果を有する。
【図面の簡単な説明】
【００５０】
【図１】本発明の好適な実施例に係る回転異常検知装置が設けられるドラム式製氷機を前側から示す要部縦断面図である。
【図２】図１のＡ−Ａ断面図である。
【図３】図２のＢ−Ｂ断面図である。
【図４】実施例の回転異常検知装置を概略的に示す制御ブロック図である。
【図５】実施例の回転異常検知装置において、製氷ドラムの回転方向およびハンチング検知の流れを示すフローチャート図である。
【図６】実施例の回転異常検知装置において、製氷ドラムのロック検知の流れを示すフローチャート図である。
【図７】変更例の回転異常検知装置の要部を示す正面図である。
【符号の説明】
【００５１】
１４ 製氷ドラム(回転体)，３４ 孔部(被検知部)，４０ フォトセンサ(検知手段)，
４２ 判定手段，４４ 計時手段，４６ 記憶手段，４８ 第１のタイマ(タイマ)，
第２のタイマ(タイマ)，５０ カウント手段，７４ 反射部(被検知部)，
７６ フォトセンサ(検知手段)，Ｍ モータ(駆動手段)，Ｗ 離間間隔
【図１】
2006313047.tif 000003
【図２】
2006313047.tif 000004
【図３】
2006313047.tif 000005
【図４】
2006313047.tif 000006
【図５】
2006313047.tif 000007
【図６】
2006313047.tif 000008
【図７】
2006313047.tif 000009